(57)【要約】【課題】リップのルアー本体への取付けが容易であり、更に、リップがルアー本体に正確に取り付けらている魚釣り用ルアーを提供すること。【解決手段】ルアー１はルアー本体２とリップ１０を備える。ルアー本体１０には前方へ突出したリップ取付け用レール部３が設けられている。リップ１０にはその後端から前方に延び且つレール部３に対応する差込み溝１１が設けられている。そして、差込み溝１１にレール部３が差込み溝１１に沿うように差し込まれた状態でリップ１０がレール部３に固着されている。【選択図】図１
2017127236.tif 000002
【特許請求の範囲】
【請求項１】
ルアー本体とリップを備え、
前記ルアー本体に前方へ突出したリップ取付け用レール部が設けられており、
前記リップに、その後端から前方に延び且つ前記レール部に対応する差込み溝が設けられており、
前記差込み溝に前記レール部が前記差込み溝に沿うように差し込まれた状態で前記リップが前記レール部に固着されている魚釣り用ルアー。
【請求項２】
前記レール部の左右両側面には、その前端から後端側に向かって延び且つ前記差込み溝の左右両側縁部を前記レール部の前記差込み溝への差込み方向と平行な方向に案内する左右一対のスライドガイド凹条が設けられており、
前記差込み溝に前記レール部が前記差込み溝に沿うように差し込まれ且つ前記差込み溝の前記両側縁部が前記両スライドガイド凹条内に配置された状態で前記リップが前記レール部に固着されている請求項１記載の魚釣り用ルアー。
【請求項３】
前記ルアー本体の前記レール部にラインアイが設けられている請求項１又は２記載の魚釣り用ルアー。
【発明の詳細な説明】
【技術分野】
【０００１】
本発明は、魚釣りに用いられる、リップを有するルアーに関する。
【背景技術】
【０００２】
この種のルアーとして、リップがルアー本体に一体に形成されているものが良く知られている。
【０００３】
また、リップが破損した場合などにリップを新しいものに交換できるようにするため、特開２００１−２９２６６２公報（特許文献１）には、リップがルアー本体にビスにより着脱自在に取り付けられているものが開示されている。
【先行技術文献】
【特許文献】
【０００４】
【特許文献１】特開２００１−２９２６６２号公報
【発明の概要】
【発明が解決しようとする課題】
【０００５】
しかるに、上記の公報に開示のルアーでは、リップがルアー本体にビスにより取り付けられているので、リップのルアー本体への取付けが容易ではなかったし、更に、リップがルアー本体に対して左や右にずれて取り付けられる虞があった。もしリップがルアー本体に対して左や右に少しでもずれて取り付けられている場合には、ルアーの動き（ルアーアクション）に支障が生じる。
【０００６】
本発明は、上述した技術背景に鑑みてなされたもので、その目的は、リップのルアー本体への取付けが容易であり、更に、リップがルアー本体に正確に取り付けられている魚釣り用ルアーを提供することにある。
【課題を解決するための手段】
【０００７】
本発明は以下の手段を提供する。
【０００８】
［１］  ルアー本体とリップを備え、
前記ルアー本体に前方へ突出したリップ取付け用レール部が設けられており、
前記リップに、その後端から前方に延び且つ前記レール部に対応する差込み溝が設けられており、
前記差込み溝に前記レール部が前記差込み溝に沿うように差し込まれた状態で前記リップが前記レール部に固着されている魚釣り用ルアー。
【０００９】
［２］  前記レール部の左右両側面には、その前端から後端側に向かって延び且つ前記差込み溝の左右両側縁部を前記レール部の前記差込み溝への差込み方向と平行な方向に案内する左右一対のスライドガイド凹条が設けられており、
前記差込み溝に前記レール部が前記差込み溝に沿うように差し込まれ且つ前記差込み溝の前記両側縁部が前記両スライドガイド凹条内に配置された状態で前記リップが前記レール部に固着されている前項１記載の魚釣り用ルアー。
【００１０】
［３］  前記ルアー本体の前記レール部にラインアイが設けられている前項１又は２記載の魚釣り用ルアー。
【発明の効果】
【００１１】
本発明は以下の効果を奏する。
【００１２】
前項［１］では、リップの差込み溝にルアー本体のレール部が差込み溝に沿うように差し込まれた状態でリップがレール部に固着されているので、ルアーを製造する際にルアー本体のレール部をリップの差込み溝に差し込むことにより、リップをルアー本体に取り付けることができる。したがって、もしリップが薄いものであったり前後方向に長いものであったりする場合でも、リップをルアー本体に容易に且つ正確にしかも強固に取り付けることができる。
【００１３】
前項［２］では、レール部の左右両側面に所定の左右両スライドガイド凹条が形成されているので、レール部の差込み溝への差込み動作時には、差込み溝の左右両側縁部は両スライドガイド凹条によって案内されながら両スライドガイド凹条内をスライド移動する。これにより、リップをルアー本体に更に容易に且つより正確にしかもより強固に取り付けることができる。
【００１４】
前項［３］では、ルアー本体のレール部にラインアイが設けられていることから、ルアーについて設計した潜行深度や動き等の設計値や設計動作に合致するように、レール部の長さ方向におけるラインアイを設ける位置を設定することができる。したがって、前項［３］のルアーは、潜行深度や動き等の設計値や設計動作について高い設計自由度を有している。
【図面の簡単な説明】
【００１５】
【図１】図１は、本発明の一実施形態に係る魚釣り用ルアーの斜視図である。
【図２】図２は、同ルアーにおいて、ルアー本体にリップを取り付ける前の状態の斜視図である。
【図３】図３は、図１中のＸ−Ｘ線端面図である。
【発明を実施するための形態】
【００１６】
次に、本発明の一実施形態について図面を参照して以下に説明する。
【００１７】
本実施形態の魚釣り用ルアー１は、図１及び２に示すように、餌を模した外観形状のルアー本体２とリップ１０を備えている。
【００１８】
ルアー本体２は、ルアー１のボディーに相当するものであり、例えば、プラスチック、発泡ウレタン、木材製である。ルアー本体２の内部にはルアー１のバランスを取るための錘（図示せず）が配置されている。また、ルアー本体２の複数の所定箇所にはそれぞれフックアイ７が固定状態に設けられている。そして、各フックアイ７にスプリットリング８を介してフック（詳述するとトリプルフック）９が取り付けられている。
【００１９】
ルアー本体２の前端部には、リップ取付け用レール部３が、ルアー本体２に対して前方に真直に突出し且つルアー本体２に対して固定状態に設けられている。ルアー本体２の平面視において、レール部３の長さ方向（突出方向）の中心軸線はルアー本体２の前後方向の中心軸線に対して同一直線上に配置されている。
【００２０】
リップ１０は、左右対称の板状のものであり、プラスチック、ガラスエポキシ樹脂、金属、カーボン等の薄く硬質の素材で製造されている。
【００２１】
図２に示すように、リップ１０には、その後端から前方に真直に延びた差込み溝１１が形成されている。詳述すると、差込み溝１１は、レール部３に対応するものであり、リップ１０の左右対称軸線に沿うようにリップ１０の後端から前方に真直に延びて形成されており、互いに離間して平行状に配置された左右一対の側縁部１２、１２を有している。
【００２２】
図２及び３に示すように、レール部３の左右両側面３ａ、３ａには、リップ１０の差込み溝１１の左右両側縁部１２、１２をレール部３の差込み溝１１への差込み方向と平行な方向（詳述するとレール部３の差込み溝１１への差込み方向と反対の方向）に案内する左右一対のスライドガイド凹条４、４が、レール部３の左右両側面３ａ、３ａの前端（先端）から後端（基端）までの領域に亘って（即ちレール部３の長さ方向の全体に亘って）レール部３の左右両側面３ａ、３ａの前端から後端側に向かって真直に延びて形成されている。
【００２３】
そして、図１に示すように、リップ１０の差込み溝１１にレール部３の長さ方向（突出方向）の全体が差込み溝１１に沿うように差し込まれており、更に、この差込み状態でリップ１０がレール部３に接着固着されている。符号「１５」は、リップ１０をレール部３に固着した接着剤である。この差込み状態では、図３に示すように、差込み溝１１の互いに対向する左右両側縁部１２、１２は、レール部３の左右両スライドガイド凹条４、４内に配置されており、そしてこの状態でリップ１０がレール部３に接着固着されている。
【００２４】
ルアー１を製造する際において、リップ１０をルアー本体２（詳述するとルアー本体２のレール部３）に取り付ける場合は、まず、ルアー本体２のレール部３の左右各スライドガイド凹条４、４内に接着剤１５を充填付着させておくか、又は／及び、リップ１０の差込み溝１１の左右各側縁部１２、１２に接着剤１５を付着させておく。
【００２５】
次いで、図２に示すように、リップ１０の差込み溝１１の左右両側縁部１２、１２がレール部３の左右両スライドガイド凹条４、４内を両スライドガイド凹条４、４に沿ってスライド移動するようにレール部３をその前端（先端）から差込み溝１１に差し込む。レール部３の長さ方向の全体が差込み溝１１に差し込まれたら、この差込み状態のままで接着剤１５、１５が硬化するまで待つ。その結果、リップ１０がレール部３に接着剤１５、１５により固着されて取り付けられ、詳述すると、図３に示すように、リップ１０とレール部３との接触部に存在する略層状の接着剤１５、１５を介してリップ１０がレール部３に固着されてリップ１０がルアー本体２に固定状態に取り付けられる。
【００２６】
本実施形態のルアー１では、リップ１０の差込み溝１１にルアー本体２のレール部３が差込み溝１１に沿うように差し込まれた状態でリップ１０がレール部３に固着されているので、ルアー１を製造する際にルアー本体２のレール部３をリップ１０の差込み溝１１に差し込むことにより、リップ１０をルアー本体２に取り付けることができる。したがって、もしリップ１０が薄いものであったり前後方向に長いものであったりする場合でも、リップ１０をルアー本体２に容易に且つ正確にしかも強固に取り付けることができる。
【００２７】
したがって、このようにリップ１０がルアー本体２に取り付けられることにより、ルアー１の使用時にリップ１０に加わる水流圧によりリップ１０がルアー本体２に対して左や右にずれたりリップ１０が左右不均一に撓んだりするのを抑制することができる。これにより、ルアー１の動き（ルアーアクション）を設計した動きにすることができる。
【００２８】
さらに、レール部３の左右両側面３ａ、３ａには、その前端（先端）から後端側に向かって真直に延びた左右両スライドガイド凹条４、４が形成されているので、レール部３の差込み溝１１への差込み動作時には、差込み溝１１の両側縁部１２、１２は両スライドガイド凹条４、４によって案内されながら両スライドガイド凹条４、４内をスライド移動する。これにより、リップ１０をルアー本体２に更に容易に且つより正確に取り付けることができる。しかも、リップ１０がルアー本体２に取り付けられた状態では差込み溝１１の両側縁部１２、１２が両スライドガイド凹条４、４内に配置されているので、リップ１０のルアー本体２への取付け強度が向上している。したがって、リップ１０をルアー本体２に更に強固に取り付けることができる。
【００２９】
ここで、上述したようにルアー本体２のレール部３はその長さ方向（突出方向）の全体がリップ１０の差込み溝１１に差し込まれており、また、このようにレール部３を差し込み得るようにリップ１０の差込み溝１１の長さが設定されている。この場合において、レール部３の長さは限定されるものではないが、リップ１０の前後方向の長さに対して１／３倍〜３／４倍の範囲に設定されることが特に望ましい。レール部３の長さをこの範囲に設定することにより、リップ１０をルアー本体２に更に確実に強固に取り付けることができる。これにより、ルアー１の動き（ルアーアクション）を確実に設計した動きにすることができる。
【００３０】
しかも、レール部３の左右両側面３ａ、３ａに、左右両スライドガイド凹条４、４が、レール部３の左右両側面３ａ、３ａの前端から後端までの領域に亘って（即ちレール部３の長さ方向の全体に亘って）レール部３の左右両側面３ａ、３ａの前端から後端側に向かって延びて形成されているので、リップ１０をルアー本体２に更に一層確実に強固に取り付けることができる。これにより、ルアー１の動き（ルアーアクション）を更に確実に設計した動きにすることができる。
【００３１】
さらに、本実施形態のルアー１では、図１に示すように、ルアー本体２のレール部３の長さ方向の所定位置の上面３ｂにラインアイ５が固定状態に設けられている。ライン２０は、このラインアイ５にスプリットリング６を介して（又は介さないで）繋がれる。
【００３２】
ルアー１を製造する際において、レール部３の長さ方向におけるラインアイ５を設ける位置は、ルアー１について設計した潜行深度や動き等の設計値や設計動作に合致する位置に設定される。例えば、潜行深度が深いルアー１を製造する場合には、ラインアイ５を設ける位置はレール部３の後端側に設定され、潜行深度が浅いルアー１を製造する場合には、ラインアイ５を設ける位置はレール部３の前端側に設定される。このように、本実施形態のルアー１は、潜行深度や動き等の設計値や設計動作について高い設計自由度を有している。
【００３３】
以上で本発明の一実施形態を説明したが、本発明は上記実施形態に限定されるものではなく、本発明の要旨を逸脱しない範囲で様々に変更可能であることは言うまでもない。
【産業上の利用可能性】
【００３４】
本発明は、魚釣り用ルアーに利用可能である。
【符号の説明】
【００３５】
１：ルアー
２：ルアー本体
３：レール部
４、４：スライドガイド凹条
５：ラインアイ
１０：リップ
１１：差込み溝
１２、１２：差込み溝の左右両側縁部
１５：接着剤
【図１】
2017127236.tif 000003
【図２】
2017127236.tif 000004
【図３】
2017127236.tif 000005